(57)【要約】【課題】機器からの液漏れを高精度に検出する。【解決手段】機器からの液漏れを検出するための漏液検知システムは、機器から漏洩した漏液を撮像するための撮像装置と、撮像装置によって取得された画像データを用いて液漏れの発生を検出するためのコントローラと、を備える。コントローラは、画像データ中において、機器外において変色剤との接触により変色した漏液の色に対応する画素数が閾値以上であるか否かを判定し、画素数が閾値以上である場合に液漏れが発生したと判定するように構成されている。【選択図】図１
2019117177.tif 000002
【特許請求の範囲】
【請求項１】
機器からの液漏れを検出するための漏液検知システムであって、
前記機器から漏洩した漏液を撮像するための撮像装置と、
前記撮像装置によって取得された画像データを用いて前記液漏れの発生を検出するためのコントローラと、を備え、
前記コントローラは、
前記画像データ中において、前記機器外において変色剤との接触により変色した前記漏液の色に対応する画素数が閾値以上であるか否かを判定し、
前記画素数が前記閾値以上である場合に前記液漏れが発生したと判定する
ように構成された
ことを特徴とする漏液検知システム。
【請求項２】
前記コントローラは、前記撮像装置からの距離に応じて設定された距離係数を用いて前記画素数を補正するように構成される
ことを特徴とする請求項１に記載の漏液検知システム。
【請求項３】
前記距離係数は、前記撮像装置からの距離が大きいほど大きな値に設定される
ことを特徴とする請求項２に記載の漏液検知システム。
【請求項４】
前記コントローラは、撮像領域毎に各々独立に設定された重要度係数を用いて前記画素数を補正するように構成される
ことを特徴とする請求項１〜３の何れか一項に記載の漏液検知システム。
【請求項５】
前記重要度係数は、前記機器からの前記液漏れのリスクが高い前記撮像領域ほど大きい値に設定される
ことを特徴とする請求項４に記載の漏液検知システム。
【請求項６】
前記コントローラは、前記液漏れの判定に関する除外領域以外の前記撮像領域で検出された画素値のみに基づき、前記液漏れの発生を判定するように構成される
ことを特徴とする請求項４及び５の何れか一項に記載の漏液検知システム。
【請求項７】
前記液漏れがないときの前記画素数をオフセット量として設定するための設定部をさらに備え、
前記コントローラは、前記設定部により設定された前記オフセット量を用いて前記画素数をオフセット処理するように構成される
ことを特徴とする請求項１〜６の何れか一項に記載の漏液検知システム。
【請求項８】
前記コントローラは、前記画素数が前記閾値以上の場合に前記液漏れの発生を報知する報知部をさらに備える
ことを特徴とする請求項１〜７の何れか一項に記載の漏液検知システム。
【請求項９】
前記変色剤は空気中の酸素である
ことを特徴とする請求項１〜８の何れか一項に記載の漏液検知システム。
【請求項１０】
前記変色剤は前記漏液との接触により変色する顔料を含み、
前記撮像装置の撮像範囲には、前記機器の外周又は下方の少なくとも一部において前記顔料が塗布された顔料塗布領域が含まれる
ことを特徴とする請求項１〜９の何れか一項に記載の漏液検知システム。
【請求項１１】
前記撮像装置の撮像範囲には、前記機器の下方に配置された吸液部材が含まれる
ことを特徴とする請求項１〜１０の何れか一項に記載の漏液検知システム。
【請求項１２】
前記撮像装置で撮像された画像と、前記画素数の経時変化履歴又は前記コントローラによる判定結果との少なくとも一方を表示する表示部をさらに備える
ことを特徴とする請求項１〜１１の何れか一項に記載の漏液検知システム。
【請求項１３】
機器からの液漏れを検出するための漏液検知方法であって、
前記機器からの漏液を撮像する撮像ステップと、
前記撮像ステップで取得された画像データを用いて前記液漏れの発生を検出する検出ステップと、を備え、
前記検出ステップでは、
画像データ中において、前記機器外において変色剤との接触により変色した前記漏液の色に対応する画素数が閾値以上であるか否かを判定し、
前記画素数が前記閾値以上である場合に前記液漏れが発生したと判定する
ことを特徴とする漏液検知方法。
【請求項１４】
前記画素数が前記閾値以上の場合に液漏れの発生を報知する報知ステップをさらに備える
ことを特徴とする請求項１３に記載の漏液検知方法。
【請求項１５】
前記撮像ステップで撮像された画像と、前記画素数の経時変化履歴又は前記検出ステップにおける判定結果との少なくとも一方を表示する表示ステップをさらに備える
ことを特徴とする請求項１３及び１４の何れか一項に記載の漏液検知方法。
【発明の詳細な説明】
【技術分野】
【０００１】
本開示は、漏液検出システム及び漏液検出方法に関する。
【背景技術】
【０００２】
従来、油圧機器や配管等からの漏油を検知するための種々の方法が知られている。例えば、特許文献１には、片面に黒色微粉末層を有する白色系布テープを、上記微粉末層を内側にして油配管等に巻き付け、カメラで監視する漏油検知方法が開示されている。
【先行技術文献】
【特許文献】
【０００３】
【特許文献１】特開平２−３０６１３２号公報
【発明の概要】
【発明が解決しようとする課題】
【０００４】
しかし、上記特許文献１に記載の漏液検知方法は、油圧機器や油配管からの漏油に限らず、例えばテープの外側から付着した水滴等によっても毛細管現象によって黒色微粉末がテープの外側に滲みだす可能性がある。このため、選択的に油圧機器等の機器や配管からの漏液のみを検出し、機器に液漏れが発生しているか否かを判定することが難しいという問題があった。
【０００５】
上記事情に鑑み、本発明の少なくとも一実施形態は、機器からの液漏れを高精度に検出することを目的とする。
【課題を解決するための手段】
【０００６】
（１）本発明の少なくとも一実施形態に係る漏液検知システムは、
機器からの液漏れを検出するための漏液検知システムであって、
前記機器から漏洩した漏液を撮像するための撮像装置と、
前記撮像装置によって取得された画像データを用いて前記液漏れの発生を検出するためのコントローラと、を備え、
前記コントローラは、
前記画像データ中において、前記機器外において変色剤との接触により変色した前記漏液の色に対応する画素数が閾値以上であるか否かを判定し、
前記画素数が前記閾値以上である場合に前記液漏れが発生したと判定するように構成されている。
機器から漏洩した漏液は、種々の変色剤と接触することで特定の色に変色し、周囲と識別し得る程度に変色するとその存在が視覚的に認識され得る。このように、変色剤との接触で変色する漏液の性質を利用し、上記（１）の構成では、撮像装置で取得された画像データ中において、変色した漏液の色に対応する画素数が閾値以上であることをコントローラが判定することにより、液漏れの発生を検出することができる。このように構成された漏液検知システムを用いれば、機器からの液漏れを無人で常時監視することができ、オペレータは随時、機器からの液漏れの有無を遠隔地で監視できる。そして、仮に液漏れが発生した際には自動的に液漏れ警報を通知することでその後の対応を迅速に行うことができる。例えば油や水との接触で変色する変色材の色に対応する画素数が閾値以上であることをコントローラが判定することにより、油漏れ又は水漏れの発生を検出することができる。
【０００７】
（２）幾つかの実施形態では、上記（１）に記載の構成において、
前記コントローラは、前記撮像装置からの距離に応じて設定された距離係数を用いて前記画素数を補正するように構成される。
撮像装置の配置により、被写体には遠近何れの対象物も含まれ得る。そして、取得された画像データにおいては、撮像装置の設置場所から遠くの対象物が小さく、近くの対象物が大きな領域を占めて描写される。この点に鑑み、上記（２）の構成によれば、撮像装置からの距離に応じて設定された距離係数を用いて画素数が補正されるから、撮像装置から近い位置に対応する画像領域で計数された画素数と、撮像装置から遠い位置に対応する画像領域で計数された画素数とが相対的に同程度の尺度で扱われるように補正することができる。これにより、液漏れ検出の判定精度を向上させることができる。
【０００８】
（３）幾つかの実施形態では、上記（２）に記載の構成において、
前記距離係数は、前記撮像装置からの距離が大きいほど大きな値に設定される。
上記（２）で述べたように、液漏れの発生をより正確に判定するには、画像データ中で近くの対象物が占める画素数すなわち面積と、遠くの対象物が占める画素数（面積）とが、実際の寸法に則して扱われるように補正することが好ましい。
この点、上記（３）の構成によれば、撮像装置からの距離が大きいほど距離係数が大きな値に設定されるから、撮像装置から遠い対象物ほど画像中の画素数（面積）を大きな値で補正することができる。そして、このように、実際の面積比に近づけるようにして補正された画素数を用いて液漏れを判定することにより、液漏れ検出の判定精度を向上させることができる。
【０００９】
（４）幾つかの実施形態では、上記（１）〜（３）の何れか一つに記載の構成において、
前記コントローラは、前記画像データの撮像領域毎に各々独立に設定された重要度係数を用いて前記画素数を補正するように構成される。
上記（４）の構成によれば、撮像領域毎に各々独立に重要度係数を設定することができる。すなわち、一の撮像領域について他の撮像領域の影響を考慮せず任意に重要度係数を設定することができる。例えば、撮像装置で撮像された画像データの中に、液漏れの可能性が高い撮像領域や、逆に液漏れが発生する可能性が低い撮像領域が含まれる場合などに、各撮像領域内で検出された画素数を、各々の撮像領域について独立に設定された重要度係数を用いて補正することができる。
【００１０】
（５）幾つかの実施形態では、上記（４）に記載の構成において、
前記重要度係数は、前記機器からの前記液漏れのリスクが高い前記撮像領域ほど大きな値に設定される。
液漏れのリスクが高い撮像領域において、変色した漏液の色に対応する画素が検出された場合、仮に現時点で検出された画素数が少なくてもその後に液漏れが継続する可能性も考えられる。よって、このような撮像領域で液漏れが検出された場合は早期に対応する必要性が高いといえる。
この点、上記（５）の構成によれば、機器からの液漏れのリスクが高い撮像領域ほど重要度係数が大きい値に設定されるから、このような撮像領域で変色した漏液の色に対応する画素が検出された場合は、液漏れが発生していることを早期に判定することができる。
【００１１】
（６）幾つかの実施形態では、上記（４）及び（５）の何れか一方に記載の構成において、
前記コントローラは、前記液漏れの判定に関する除外領域以外の前記撮像領域で検出された画素値のみに基づき、前記液漏れの発生を判定するように構成される。
上記（６）の構成によれば、撮像された画像において、例えば、無視し得る不要な領域や重要度の低い領域については液漏れの判定対象領域から除外される除外領域に設定することができる。これにより、検出対象を、着目したい撮像領域で生じた液漏れだけに絞り込むことができるので、例えば、上記液漏れと同系統の色が除外領域に存在する場合等の誤検知を低減して、液漏れの検出精度を向上させることができる。
【００１２】
（７）幾つかの実施形態では、上記（１）〜（６）の何れか一つに記載の構成において、
前記液漏れがないときの前記画素数をオフセット量として設定するための設定部をさらに備え、
前記コントローラは、前記設定部により設定された前記オフセット量を用いて前記画素数をオフセット処理するように構成される。
上記（７）の構成によれば、例えば、漏液が変色した際の色と同系色の部材や、機器からの油漏れとは無関係に誤って付着させてしまった液等が画像内に含まれる場合に、それらを液漏れの判定対象から除くように設定部で予め設定することができる。これにより、検出対象としたい機器からの実際の液漏れのみに対応する画素数を用いて判定することができるから、誤検知を低減して検出精度を向上させることができる。
【００１３】
（８）幾つかの実施形態では、上記（１）〜（７）の何れか一つに記載の構成において、
前記コントローラは、前記画素数が前記閾値以上の場合に前記液漏れの発生を報知する報知部をさらに備える。
上記（８）の構成によれば、液漏れが検出された際にその旨を種々の方式で上記漏洩検知システムのオペレータ等に報知することができる。これにより、例えば液漏れ発生後の対応等を迅速に行うことができる。
【００１４】
（９）幾つかの実施形態では、上記（１）〜（８）の何れか一つに記載の構成において、
前記変色剤は空気中の酸素である。
上記（９）の構成によれば、機器からの漏液が空気中の酸素との反応により酸化されて変色し、変色した漏液が撮像装置によって撮像される。従って、空気中の酸素以外の変色剤を必要とすることなく、機器からの液漏れを検出することができる。
【００１５】
（１０）幾つかの実施形態では、上記（１）〜（９）の何れか一つに記載の構成において、
前記変色剤は前記漏液との接触により変色する顔料を含み、
前記撮像装置の撮像範囲には、前記機器の外周又は下方の少なくとも一部において前記顔料が塗布された顔料塗布領域が含まれる。
上記（１０）の構成によれば、機器の外周又は下方の少なくとも一部に顔料塗布領域を備えることにより、機器からの漏液が発生した際には漏液が顔料と接触して変色する。つまり、漏液の酸化による変色を待つことなく、液漏れが発生してから変色するまでのタイムラグを低減することができるから、液漏れ発生から該液漏れの発生を検知するまでの時間を大幅に短縮することができる。例えば、液漏れの発生をリアルタイムに検出することもできる。また、機器に使用されている特定の液と反応した際にのみ発色するような顔料を選択的に用いることにより、撮像された画像内で液漏れを特定し易くなり、液漏れ発生の検出精度を向上させることができる。
【００１６】
（１１）幾つかの実施形態では、上記（１）〜（１０）の何れか一つに記載の構成において、
前記撮像装置の撮像範囲には、前記油圧機器の下方に配置された吸液部材が含まれる。
上記（１１）の構成によれば、機器からの漏液は概して下方に落下するから、機器の下方に吸液部材を配置し、該吸液部材に付着した漏液の色を撮像装置で撮像することにより、機器からの液漏れの発生をより適切に検出することができる。さらに、例えば、機器自体やその周囲に死角がある場合でも、吸液部材を撮像し得る位置に撮像装置を配置することで液漏れを検出できるから、少ない数の撮像装置で適切に漏液を検出可能な漏液検知システムを低コストで構成することができる。
【００１７】
（１２）幾つかの実施形態では、上記（１）〜（１１）の何れか一つに記載の構成において、
前記撮像装置で撮像された画像と、前記画素数の経時変化履歴又は前記コントローラによる判定結果との少なくとも一方を表示する表示部をさらに備える。
上記（１２）の構成によれば、機器からの漏液を含む画像と、画素数の経時変化履歴又はコントローラによる判定結果との何れかの組み合わせを表示部に表示することができるから、機器からの液漏れの発生の有無やその程度、進行速度などをオペレータが視覚的に監視することができる。
【００１８】
（１３）本開示の少なくとも一実施形態に係る漏液検知方法は、
機器からの液漏れを検出するための漏液検知方法であって、
前記機器からの漏液を撮像する撮像ステップと、
前記撮像ステップで取得された画像データを用いて前記液漏れの発生を検出する検出ステップと、を備え、
前記検出ステップでは、
画像データ中において、前記機器外において変色剤との接触により変色した前記漏液の色に対応する画素数が閾値以上であるか否かを判定し、
前記画素数が前記閾値以上である場合に前記液漏れが発生したと判定する。
上記（１３）の方法によれば、上記（１）で述べたように、撮像ステップで取得された画像データ中において、変色した漏液の色に対応する画素数が閾値以上であることを検出ステップで判定することにより、液漏れの発生を検出することができる。
【００１９】
（１４）幾つかの実施形態では、上記（１３）に記載の方法において、
前記画素数が前記閾値以上の場合に液漏れの発生を報知する報知ステップをさらに備える。
上記（１４）の方法によれば、上記（８）で述べたように、液漏れが検出された際にその旨を種々の方式で上記漏洩検知システムのオペレータ等に報知することができる。これにより、例えば液漏れ発生後の対応等を迅速に行うことができる。
【００２０】
（１５）幾つかの実施形態では、上記（１３）及び（１４）の何れか一つに記載の方法において、
前記撮像ステップで撮像された画像と、前記画素数の経時変化履歴又は前記検出ステップにおける判定結果との少なくとも一方を表示する表示ステップをさらに備える。
上記（１５）の方法によれば、上記（１２）で述べたように、機器からの漏液を含む画像と、画素数の経時変化履歴又は検出ステップにおける判定結果との何れかの組み合わせを表示部に表示することができるから、機器からの液漏れの発生の有無やその程度、進行速度などをオペレータが視覚的に監視することができる。
【発明の効果】
【００２１】
本発明の幾つかの実施形態によれば、選択的に油圧機器からの液漏れを検出することができる。
【図面の簡単な説明】
【００２２】
【図１】一実施形態に係る漏液検知システムの構成例を示す概略図である。
【図２】一実施形態に係る漏液検知システムにおける制御系の構成例を示すブロック図である。
【図３】一実施形態に係る漏液検知システムによる処理を示すフローチャートである。
【図４】一実施形態における制御画面の例を示す図である。
【図５】一実施形態におけるオフセット処理を示す概略図である。
【図６】他の実施形態に係る漏液検知システムの構成例を示す概略図である。
【図７】一実施形態における漏液検知処理を示す概略図である。
【発明を実施するための形態】
【００２３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２４】
図１は、一実施形態に係る漏液検知システムの構成例を示す概略図である。
図１に非限定的に例示するように、本発明の少なくとも一実施形態に係る漏液検知システム１は、機器２からの液漏れを検出するための漏液検知システム１であって、機器２からの漏液６を撮像するための撮像装置３と、撮像装置３によって取得された画像データを用いて液漏れの発生を検出するためのコントローラ１０と、を備えている。
【００２５】
機器２には、作動流体や熱媒体として水、蒸気又は油等の液体を用いる種々の機器（例えば油圧機器を含む）が適用され得る。この機器２は、機器本体２ａのほか、該機器本体２ａに接続されて内部を液体が流れる配管２ｂ等を含んでもよい。
撮像装置３には、例えば、可視光領域の光を撮像可能な可視カメラを適用し得る。図１には、説明の簡略化のため漏液検知システム１が１台の撮像装置３を備えた例を示す。幾つかの実施形態では、１台の機器２を複数の撮像装置３で監視する構成としてもよいし、複数の機器２の各々を１又は複数台の撮像装置３で監視する構成としてもよい。
【００２６】
図２は、一実施形態に係る漏液検知システムにおける制御系の構成例を示すブロック図である。
図２に非限定的に例示するように、コントローラ１０は、例えば、コンピュータであり、ＣＰＵ１１、該ＣＰＵ１１が実行する各種プログラムやテーブル等のデータを記憶するための記憶部としてのＲＯＭ１３、各プログラムを実行する際の展開領域や演算領域等のワーク領域として機能するＲＡＭ１２の他、大容量記憶装置としてのハードディスクドライブ（ＨＤＤ）１５、通信ネットワークに接続するための通信部としての通信インターフェース２２、及び外部記憶装置が装着されるアクセス部（図示略）などを備えていてもよい。これらは全て、バス１７を介して接続されており、バス１７はケーブル等の信号線を介して撮像装置３と電気的に接続されている。
【００２７】
そして、一実施形態におけるコントローラ１０は、画像データ中において、機器２外において変色剤７との接触により変色した漏液６の色に対応する画素数が閾値以上であるか否かを判定し、画素数が閾値以上である場合に液漏れが発生したと判定するように構成されている。一実施形態におけるコントローラ１０では、例えばＲＯＭ１３内に、上記のような処理を行うための漏液検知プログラム１４が格納されていてもよい。
【００２８】
図３は、一実施形態に係る漏液検知システムによる処理例を示すフローチャートである。
図３に非限定的に例示するように、処理が開始されると、ＣＰＵ１１がＲＯＭ１３から漏液検知プログラム１４を読み出してＲＡＭ１２に展開し、実行することで漏油検知処理が開始される。コントローラ１０は、先ず撮像装置３を起動し、設置場所から撮像可能な機器２の撮像を開始する（ステップＳ１）。撮像開始に伴い、ＣＰＵ１１は、撮像装置３によって取得された画像データを読み込み（ステップＳ２）、該画像データの中から、変色した漏液６の色と同系色の画素値を有する画素（例えば、ＲＧＢ等の各色成分についてそれぞれ所定範囲内の画素値を有する画素）を識別することにより、変色部を抽出する（ステップＳ３）。上記変色した漏液６の色と同系色の画素値については、予め設定されて、ＲＯＭ１３やＨＤＤ１５等のメモリに記憶されていてもよい。ＣＰＵ１１は、このようにして抽出された画素の数（ピクセル数）を合算し、画面３０内における変色部分の面積を算出する（ステップＳ４）。一実施形態では、該当する画素値を有する画素の数の合計値をもって変色面積としてもよい。続いて、ＣＰＵ１１は、ステップＳ４で算出された画素数が閾値を超えているか否かを判定することで、漏液６が検出されたか否かを判定する（ステップＳ５）。ステップＳ４で算出された画素数が閾値を超えていない場合（ステップＳ５：Ｎｏ）、ＣＰＵ１１は、ステップＳ２に移行して次の画像データを読み込み、処理を継続する。ステップＳ４で算出された画素数が閾値を超えている場合（ステップＳ５：Ｙｅｓ）、ＣＰＵ１１は、液漏れが発生したと判定する。
【００２９】
ここで、機器２から漏洩した漏液６は、種々の変色剤７と接触することで特定の色に変色したり変色剤７を特定の色に変色させたりし、周囲と識別し得る程度に変色するとその存在が視覚的に認識され得る。このように、変色剤７との接触で変色したり変色剤７を変色させたりする漏液６の性質を利用し、上記の構成では、撮像装置３で取得された画像データ中において、変色した漏液６の色に対応する画素数が閾値以上であることをコントローラ１０が判定することにより、液漏れの発生を検出することができる。このように構成された漏液検知システム１を用いれば、選択的に機器２からの液漏れを高精度に検出することができる。また、常時無人で監視することができ、オペレータは随時機器２からの液漏れの有無を遠隔地で監視できる。そして、仮に液漏れが発生した際には自動的に液漏れ警報を通知することでその後の対応を迅速に行うことができるのである。
なお、幾つかの実施形態では、ステップＳ４で算出された画素数が閾値を超えている場合、ＣＰＵ１１は、例えば、漏洩警報を通知（ステップＳ６）することで液漏れが発生していることを報知して処理を終了してもよい。このようにすれば、液漏れが検出された際にその旨を種々の方式でオペレータ等に報知することができる。これにより、例えば液漏れ発生後の対応等を迅速に行うことができる。
【００３０】
幾つかの実施形態において、コントローラ１０は、撮像装置３からの距離に応じて設定された距離係数Ｋを用いて画素数を補正するように構成されていてもよい。
撮像装置３の配置により、被写体には遠近何れの撮像対象物も含まれ得る。そして、取得された画像データにおいては、撮像装置３の設置場所から遠くの撮像対象物が小さく、近くの撮像対象物が大きな領域を占めて描写される。この点に鑑み、上記の構成によれば、撮像装置３からの距離に応じて設定された距離係数Ｋを用いて画素数が補正されるから、撮像装置３から近い位置に対応する画像領域３２で計数された画素数と、撮像装置３から遠い位置に対応する画像領域３２で計数された画素数とが相対的に同程度の尺度で扱われるように補正することができる。これにより、液漏れ検出の判定精度を向上させることができる。
なお、上記のような距離係数Ｋや該距離係数Ｋを用いた演算式、及びこれらを適用すべき画像３０内の位置（例えば画像の縦横を示すＸＹ座標）などは、撮像装置３から、撮像により取得される画像３０内の所定の位置に表示される撮像対象物までの距離（例えば、機器２までの距離、或いは、変色した漏液６の色と同系色の画素値を有する画素が検出され得る位置までの距離）等を考慮して予め任意に設定し、例えば、ＲＯＭ１３やＨＤＤ１５等の記憶部内に格納されていてもよい。
【００３１】
幾つかの実施形態において、距離係数Ｋは、撮像装置３からの距離が大きいほど大きな値に設定されてもよい。
液漏れの発生をより正確に判定するには、画像データ中で近くの撮像対象物が占める画素数すなわち面積と、遠くの撮像対象物が占める画素数（面積）とが、実際の寸法に則して扱われるように補正することが好ましい。
この点、上記の構成によれば、撮像装置３からの距離が大きいほど距離係数Ｋが大きな値に設定されるから、撮像装置３から遠い撮像対象物ほど画像３０中の画素数（面積）を大きな値で補正することができる。そして、このように、実際の面積比に近づけるようにして補正された画素数を用いて液漏れを判定することにより、液漏れ検出の判定精度を向上させることができる。
【００３２】
幾つかの実施形態において、コントローラ１０は、画像データの撮像領域（例えば画像領域３２）毎に各々独立に設定された重要度係数Ｋｉを用いて画素数を補正するように構成されてもよい。
上記の構成によれば、撮像領域毎に各々独立に重要度係数Ｋｉを設定することができる。すなわち、一の撮像領域について他の撮像領域の影響を考慮せず任意に重要度係数Ｋｉを設定することができる。例えば、撮像装置３で撮像された画像データの中に、液漏れの可能性が高い撮像領域や、逆に液漏れが発生する可能性が低い撮像領域が含まれる場合などに、各撮像領域内で検出された画素数を、各々の撮像領域について独立に設定された重要度係数Ｋｉを用いて補正することができる。
【００３３】
幾つかの実施形態において、重要度係数Ｋｉは、機器２からの液漏れのリスクが高い撮像領域ほど大きな値に設定されてもよい。
液漏れのリスクが高い撮像領域において、変色した漏液６の色に対応する画素が検出された場合、仮に現時点で検出された画素数が少なくてもその後に液漏れが継続する可能性も考えられる。よって、このような撮像領域で液漏れが検出された場合は早期に対応する必要性が高いといえる。
この点、上記のように構成すれば、機器２からの液漏れのリスクが高い撮像領域ほど重要度係数Ｋｉが大きい値に設定されるから、このような撮像領域で変色した漏液６の色に対応する画素が検出された場合は、液漏れが発生していることを早期に判定することができる。
【００３４】
幾つかの実施形態において、コントローラ１０は、液漏れの判定に関する除外領域３５（例えば図７（ｃ）参照）以外の撮像領域（例えば画像領域３２）で検出された画素値のみに基づき、液漏れの発生を判定するように構成されてもよい。
上記除外領域３５は、例えば上述した距離係数Ｋや重要度係数Ｋｉ等の係数をゼロに設定することで規定することができる。除外領域３５以外の撮像領域は、予め着目する撮像領域のみを抽出範囲とするように定め、それ以外の領域を考慮しない（すなわち無視又は除外する）ように設定することで規定してもよい。
上記の構成によれば、撮像された画像３０において、例えば、無視し得る不要な領域や重要度の低い領域については液漏れの判定対象領域から除外される除外領域３５に設定することができる。これにより、検出対象を、着目したい撮像領域で生じた液漏れだけに絞り込むことができるので、例えば、上記液漏れと同系統の色が除外領域３５に存在する場合等の誤検知を低減して、液漏れの検出精度を向上させることができる。
【００３５】
図４は、一実施形態における制御画面の例を示す図である。
図４に非限定的に例示するように、幾つかの実施形態において、漏液検知システム１は、撮像装置３で撮像された画像３０と、画素数の経時変化履歴２８又はコントローラ１０による判定結果との少なくとも一方を表示する表示部２０をさらに備えていてもよい。このようにすれば、機器２から漏洩した漏液６を含む画像３０と、画素数の経時変化履歴２８又はコントローラ１０による判定結果との何れかの組み合わせを表示部２０に表示することができるから、機器２からの液漏れの発生の有無やその程度、進行速度などをオペレータが視覚的に監視することができる。
【００３６】
幾つかの実施形態において、コントローラ１０は、画素数が閾値以上の場合に液漏れの発生を報知する報知部２１をさらに備えていてもよい（図２参照）。
報知部２１は、例えば、光、音、或いは振動等の動作等により、視覚、聴覚又は触覚等を介してオペレータに液漏れの発生を認識させ得るものであれば種々の形式を適用し得る。例えば、機器２から液漏れが発生していることを示す警報ブザーや警報灯などを個別に設けてもよいし、上述した表示部２０に表示される制御画面２４や携帯端末機器等に液漏れ発生の旨を表示する形式であってもよい。
このように報知部２１を備えた構成とすれば、液漏れが検出された際にその旨を種々の方式で上記漏洩検知システム１のオペレータ等に報知することができる（図３、ステップＳ６参照）。これにより、例えば液漏れ発生後の対応等を迅速に行うことができる。
【００３７】
図５は一実施形態におけるオフセット処理を示す概略図である。
図４及び図５に非限定的に例示するように、幾つかの実施形態において、漏液検知システム１は、液漏れがないときの画素数をオフセット量として設定するための設定部２５をさらに備えていてもよい。この場合、コントローラ１０は、設定部２５により設定されたオフセット量を用いて画素数をオフセット処理するように構成されてもよい。
上記の構成によれば、例えば、漏液６が変色した際の色と同系色の部材や、機器２からの液漏れとは無関係に誤って付着させてしまった液等が画像３０内に含まれる場合に、それらを液漏れの判定対象から除くように設定部で予め設定することができる。これにより、検出対象としたい機器からの実際の液漏れのみに対応する画素数を用いて判定することができるから、誤検知を低減して検出精度を向上させることができる。
【００３８】
幾つかの実施形態において、変色剤７は空気中の酸素（Ｏ２）であってもよい。このようにすれば、機器２から漏洩した漏液６が空気中の酸素との反応により酸化されて変色し、変色した漏液６が撮像装置３によって撮像される。従って、空気中の酸素以外の変色剤７を必要とすることなく、機器２からの液漏れを検出することができる。
【００３９】
図６は、他の実施形態に係る漏液検知システムの構成例を示す概略図である。
幾つかの実施形態において、変色剤７は漏液６との接触により変色する顔料を含み、撮像装置３の撮像範囲には、機器２の外周又は下方の少なくとも一部において変色剤７としての顔料が塗布された顔料塗布領域５が含まれてもよい。
上記の構成によれば、機器２の外周又は下方の少なくとも一部に顔料塗布領域５を含むことにより、機器２から漏液６が漏洩した際には漏洩した漏液６が顔料と接触して変色する。つまり、漏洩した漏液６の酸化による変色を待つことなく、漏液６が発生してから変色するまでのタイムラグを低減することができるから、液漏れ発生から該液漏れの発生を検知するまでの時間を大幅に短縮することができる。例えば、液漏れの発生をリアルタイムに検出することもできる。また、機器２に使用されている特定の液と反応した際にのみ発色するような顔料を選択的に用いることにより、撮像された画像３０内で液漏れを特定し易くなるほか、漏れた液の種類（例えば水又は油）やこれらの液が用いられている機器の部位を特定することもできるから、液漏れ発生の検出精度を向上させることができる。
【００４０】
幾つかの実施形態において、撮像装置３の撮像範囲には、機器２の下方に配置された吸液部材４が含まれていてもよい（例えば図１参照）。
吸液部材４は、例えば、水や油等の液体を吸い取り可能な布や紙などであってもよく、例えば、ペーパータオル等の紙材やウエス等であってもよい。
このように吸液部材４を備えた構成とすれば、機器２から漏洩した漏液６は概して下方に落下するから、機器２の下方に吸液部材４を配置し、該吸液部材４に付着した漏液６の色を撮像装置３で撮像することにより、機器２からの液漏れの発生をより適切に検出することができる。さらに、例えば、機器２自体やその周囲に死角がある場合でも、吸液部材４を撮像し得る位置に撮像装置３を配置することで液漏れを検出できるから、少ない数の撮像装置３で適切に漏液６の漏洩を検出可能な漏液検知システム１を低コストで構成することができる。
なお、この吸液部材４に、上述した変色剤７としての顔料を予め塗布する構成としてもよい。
【００４１】
本開示の少なくとも一実施形態に係る漏液検知方法は、機器２からの油漏れを検出するための漏液検知方法であって、機器２から漏洩した漏液６を撮像する撮像ステップ（Ｓ１）と、撮像ステップ（Ｓ１）で取得された画像データを用いて油漏れの発生を検出する検出ステップ（Ｓ２〜Ｓ５）と、を備えている。
検出ステップ（Ｓ２〜Ｓ５）では、画像データ中において、機器２外において変色剤７との接触により変色した漏液６の色に対応する画素数が閾値以上であるか否かを判定し、画素数が閾値以上である場合に液漏れが発生したと判定する。このようにすれば、撮像ステップ（Ｓ１）で取得された画像データ中において、変色した漏液６の色に対応する画素数が閾値以上であることをコントローラ１０が判定することにより、液漏れの発生を検出することができる。
【００４２】
幾つかの実施形態では、上記何れか一つに記載の方法において、撮像ステップ（Ｓ１）で撮像された画像３０と、画素数の経時変化履歴２８又は検出ステップ（Ｓ２〜Ｓ５）における判定結果との少なくとも一方を表示する表示ステップ（図３、ステップＳ７参照）をさらに備えていてもよい。このようにすれば、機器２から漏洩した漏液６を含む画像３０と、画素数の経時変化履歴２８又は検出ステップ（Ｓ２〜Ｓ５）における判定結果との何れかの組み合わせを表示部に表示することができるから、機器２からの液漏れの発生の有無やその程度、進行速度などをオペレータが視覚的に監視することができる。
【００４３】
以上述べたように、本開示の幾つかの実施形態によれば、機器からの液漏れを高精度に検出することができる。
【００４４】
本発明は上述した実施形態に限定されることはなく、上述した実施形態に変更を加えた形態や、これらの形態を組み合わせた形態も含む。
【符号の説明】
【００４５】
１  漏洩検知システム
２  機器（油圧機器）
２ａ  機器本体
２ｂ  配管
３  撮像装置（可視カメラ）
４  吸液部材（ウエス）
５  顔料塗布領域
６  漏液（油／水）
７  変色剤（顔料）
８  撮影範囲
１０  コントローラ（制御部）
１１  ＣＰＵ
１２  ＲＡＭ
１３  ＲＯＭ
１４  漏液検知プログラム
１５  ＨＤＤ
１６  閾値
２０  ＵＩ（表示部／入力部）
２１  報知部
２２  通信部
２４  制御画面
２５  設定部
２８  経時変化履歴
３０  画像
３２  画像領域
３５  除外領域
Ｋ，Ｋα，Ｋβ，Ｋγ，Ｋσ  距離係数
Ｋｉ  重要度係数
【図１】
2019117177.tif 000003
【図２】
2019117177.tif 000004
【図３】
2019117177.tif 000005
【図４】
2019117177.tif 000006
【図５】
2019117177.tif 000007
【図６】
2019117177.tif 000008
【図７】
2019117177.tif 000009